(57)【要約】【課題】分離可能な筐体を有する電子装置で、一方の機器で他方の機器の電源を制御する。【解決手段】制御部１ａ１は、筐体１ａの電源がオフである場合には、経路切替部１ａ２が接点部１ａ５と検出部１ａ３とを電気的に接続するように切り替え、筐体１ａの電源がオンである場合には、経路切替部１ａ２が接点部１ａ５と検出部１ａ３とを電気的に接続しないように切り替える。経路切替部１ａ２は、接点部１ａ５と検出部１ａ３とを電気的に接続するか否かを切り替え可能である。検出部１ａ３は、制御部１ｂ１から接点部１ｂ５と接点部１ａ５とを介して受信する筐体１ｂの電源の状態を通知する通知信号を検出する。電源部１ａ４は、検出部１ａ３により第２の通知信号が検出されると筐体１ａの電源を制御する。接点部１ｂ５は、接点部１ａ５と電気的に接続可能である。【選択図】図１
2011101107.tif 000002
【特許請求の範囲】
【請求項１】
第１の筐体と、第２の筐体とを有する電子装置であって、
前記第１の筐体は、第１の接点部と、第１の電源部と、第１の検出部と、前記第１の接点部と前記第１の検出部とを電気的に接続するか否かを切り替え可能な第１の経路切替部と、第１の制御部と、を有し、
前記第２の筐体は、前記第１の接点部と電気的に接続可能な第２の接点部と、第２の制御部とを有し、前記第１の接点部と前記第２の接点部とにより前記第１の筐体と電気的に接続している第１の形態と、前記第１の筐体と分離している第２の形態とを含む変形形態をとり、
前記第１の制御部は、前記第１の筐体の電源がオフである場合には、前記第１の経路切替部が前記第１の接点部と前記第１の検出部とを電気的に接続するように切り替え、前記第１の筐体の電源がオンである場合には、前記第１の経路切替部が前記第１の接点部と前記第１の検出部とを電気的に接続しないように切り替え、
前記第２の制御部は、前記第２の筐体の電源の状態を通知する第２の通知信号を送信し、
前記第１の検出部は、前記第２の制御部から前記第２の接点部と前記第１の接点部とを介して受信する前記第２の通知信号を検出し、
前記第１の電源部は、前記第１の検出部により前記第２の通知信号が検出されると前記第１の筐体の電源を制御することを特徴とする電子装置。
【請求項２】
前記第２の筐体は、第２の電源部と、第２の検出部と、前記第２の接点部と前記第２の検出部とを電気的に接続する第１の状態と、前記第２の接点部と前記第２の制御部とを電気的に接続する第２の状態とに切り替え可能な第２の経路切替部と、を有し、
前記第１の経路切替部は、前記第１の接点部と前記第１の検出部とを電気的に接続する前記第１の状態と、前記第１の接点部と前記第１の制御部とを電気的に接続する前記第２の状態とに切り替え可能であり、
前記第１の制御部は、前記第１の筐体の電源がオフである場合には、前記第１の経路切替部を前記第１の状態に切り替え、前記第１の筐体の電源がオンである場合には、前記第１の筐体の電源の状態を通知する第１の通知信号を送信すると共に前記第１の経路切替部を前記第２の状態に切り替え、
前記第２の制御部は、前記第２の筐体の電源がオフである場合には、前記第２の経路切替部を前記第１の状態に切り替え、前記第２の筐体の電源がオンである場合には、前記第２の経路切替部を前記第２の状態に切り替え、
前記第２の検出部は、前記第１の制御部から前記第１の接点部と前記第２の接点部とを介して受信する前記第１の通知信号を検出し、
前記第２の電源部は、前記第２の検出部により前記第１の通知信号が検出されると前記第２の筐体の電源を制御することを特徴とする請求項１記載の電子装置。
【請求項３】
前記第２の通知信号は、前記第２の筐体の電源がオンであることを通知し、
前記第１の電源部は、前記第１の検出部により前記第２の通知信号が検出されると前記第１の筐体の電源をオンにすることを特徴とする請求項１記載の電子装置。
【請求項４】
前記第１の筐体は、前記第１の筐体の電源の状態を操作する電源操作を受け付け、受け付けた前記電源操作に基づいて前記第２の通知信号と同一の信号である電源操作信号を前記第１の検出部に出力する操作部を有し、
前記第１の検出部は、前記第２の通知信号を検出すると共に、前記電源操作信号を検出し、
前記第１の電源部は、前記第１の検出部により前記第２の通知信号または前記電源操作信号のうちの少なくともいずれか一方が検出されると前記第１の筐体の電源の状態を制御することを特徴とする請求項１記載の電子装置。
【請求項５】
前記第１の接点部と前記第２の接点部とは、前記第１の筐体と前記第２の筐体との間の通信に使用される通信線と共用であり、
前記第１の検出部は、前記通信が停止している場合には、前記通信線を介して前記第２の通知信号を検出することを特徴とする請求項１記載の電子装置。
【請求項６】
他の電子装置と接続可能な電子装置であって、
前記他の電子装置の接点部と電気的に接続可能な接点部と、電源部と、検出部と、前記接点部と前記検出部とを電気的に接続するか否かを切り替え可能な経路切替部と、制御部と、を有し、
前記接点部と前記他の電子装置の接点部とにより前記他の電子装置と電気的に接続している第１の形態と、前記他の電子装置と分離している第２の形態とを含む変形形態をとり、
前記制御部は、電源がオフである場合には、前記経路切替部が前記接点部と前記検出部とを電気的に接続するように切り替え、前記電源がオンである場合には、前記経路切替部が前記接点部と前記検出部とを電気的に接続しないように切り替え、
前記検出部は、前記他の電子装置から前記接点部を介して受信する前記他の電子装置の電源の状態を通知する通知信号を検出し、
前記電源部は、前記検出部により前記通知信号が検出されると前記電源を制御することを特徴とする電子装置。
【請求項７】
他の電子装置と接続可能な電子装置の電源を制御する電源制御装置であって、
前記他の電子装置と電気的に接続可能な接点部を介して受信する前記他の電子装置の電源の状態を通知する通知信号を検出する検出部と、
前記接点部と前記検出部とを電気的に接続するか否かを切り替え可能な経路切替部と、
前記電子装置の電源がオフである場合には、前記経路切替部が前記接点部と前記検出部とを電気的に接続するように切り替え、前記電子装置の電源がオンである場合には、前記経路切替部が前記接点部と前記検出部とを電気的に接続しないように切り替える制御部と、
前記検出部により前記通知信号が検出されると前記電子装置の電源を制御する電源部を有することを特徴とする電源制御装置。
【請求項８】
他の電子装置と接続可能な電子装置の電源を制御する電源制御方法であって、
前記電子装置の電源がオフである場合には、前記他の電子装置と電気的に接続可能な接点部と当該接点部を介して受信する前記他の電子装置の電源の状態を通知する通知信号を検出する検出部とを電気的に接続するように切り替え、前記電子装置の電源がオンである場合には、前記接点部と前記検出部とを電気的に接続しないように切り替える切替制御ステップと、
前記検出部により前記通知信号が検出されると前記電子装置の電源を制御する電源ステップとを有することを特徴とする電源制御方法。
【発明の詳細な説明】
【技術分野】
【０００１】
本件は電子装置、電源制御装置および電源制御方法に関する。
【背景技術】
【０００２】
現在、携帯端末装置等の電子装置の多機能化が進んでいる。携帯端末装置には、例えば、音声通話、文書作成、ウェブサイトへのアクセス、電子メールの送受信、動画再生など、様々な種類の情報処理を行えるものがある。また、このような機能をユーザが快適に利用できるよう、様々な変形形態をもつ電子装置が存在する。
【０００３】
これに関して、２つの機器を有し、用途に応じて機器同士を結合状態または分離状態のいずれかの状態に変化させることができ、いずれの状態でも使用可能な携帯電話であって、機器間の送信ラインを使用して、一方の機器の電源オン操作で他方の機器の電源オンも行うことができるものが知られている（例えば、特許文献１参照）。
【先行技術文献】
【特許文献】
【０００４】
【特許文献１】特開２００４−１７２８２６号公報
【発明の概要】
【発明が解決しようとする課題】
【０００５】
上記のような分離して使用可能である電子装置では、分離状態でもユーザが電源をオンにする電源オン操作を行う可能性があるため、それぞれの装置に電源ボタンが搭載される。これにより、電源オンのために各個の装置に対して電源ボタンの押下等の電源オン操作が必要となる。このことから、それぞれの装置に対する電源オン操作が、ユーザにとって通常の装置の電源オン操作と比較して二重の手間になるという問題点がある。
【０００６】
また、結合状態で装置間の情報交換を行うための通信線等、上記以外の機能の実現のために有線接点が必要になる場合が多く、デザイン性の観点から、如何に少ない接点数でこれらの機能を実現することが求められている。
【０００７】
また、上記特許文献１に記載の技術では、一方の機器から送信ラインを使用して他方の機器に通信して電源オン操作を行う。このため、例えば、他方の機器の電源がオフである場合にも、一方の機器からの電源オンの通信に備えて常に通信機能に電力を供給する必要があるので、待機電力量の低減が困難であるという問題点がある。
【０００８】
本件はこのような点に鑑みてなされたものであり、一方の機器で他方の機器の電源を制御できる電子装置、電源制御装置および電源制御方法を提供することを目的とする。
【課題を解決するための手段】
【０００９】
上記課題を解決するために、第１の筐体と第２の筐体とを有する電子装置が提供される。第１の筐体は、第１の接点部と、第１の電源部と、第１の検出部と、第１の接点部と第１の検出部とを電気的に接続するか否かを切り替え可能な第１の経路切替部と、第１の制御部と、を有する。第２の筐体は、第１の接点部と電気的に接続可能な第２の接点部と、第２の制御部とを有し、第１の接点部と第２の接点部とにより第１の筐体と電気的に接続している第１の形態と、第１の筐体と分離している第２の形態とを含む変形形態をとる。第１の制御部は、第１の筐体の電源がオフである場合には、第１の経路切替部が第１の接点部と第１の検出部とを電気的に接続するように切り替え、第１の筐体の電源がオンである場合には、第１の経路切替部が第１の接点部と第１の検出部とを電気的に接続しないように切り替える。第２の制御部は、第２の筐体の電源の状態を通知する第２の通知信号を送信する。第１の検出部は、第２の制御部から第２の接点部と第１の接点部とを介して受信する第２の通知信号を検出する。第１の電源部は、第１の検出部により第２の通知信号が検出されると第１の筐体の電源を制御する。
【００１０】
また、上記課題を解決するために、他の電子装置と接続可能な電子装置が提供される。この電子装置は、他の電子装置の接点部と電気的に接続可能な接点部と、電源部と、検出部と、接点部と検出部とを電気的に接続するか否かを切り替え可能な経路切替部と、制御部と、を有する。また、電子装置は、接点部と他の電子装置の接点部とにより他の電子装置と電気的に接続している第１の形態と、他の電子装置と分離している第２の形態とを含む変形形態をとる。制御部は、電源がオフである場合には、経路切替部が接点部と検出部とを電気的に接続するように切り替え、電源がオンである場合には、経路切替部が接点部と検出部とを電気的に接続しないように切り替える。検出部は、他の電子装置から接点部を介して受信する他の電子装置の電源の状態を通知する通知信号を検出する。電源部は、検出部により通知信号が検出されると電源を制御する。
【００１１】
また、上記課題を解決するために、他の電子装置と接続可能な電子装置の電源を制御する電源制御装置が提供される。この電源制御装置では、検出部は、他の電子装置と電気的に接続可能な接点部を介して受信する他の電子装置の電源の状態を通知する通知信号を検出する。経路切替部は、接点部と検出部とを電気的に接続するか否かを切り替え可能である。制御部は、電子装置の電源がオフである場合には、経路切替部が接点部と検出部とを電気的に接続するように切り替え、電子装置の電源がオンである場合には、経路切替部が接点部と検出部とを電気的に接続しないように切り替える。電源部は、検出部により通知信号が検出されると電子装置の電源を制御する。
【００１２】
また、上記課題を解決するために、他の電子装置と接続可能な電子装置の電源を制御する電源制御方法が提供される。この電源制御方法は、切替制御ステップでは、電子装置の電源がオフである場合には、他の電子装置と電気的に接続可能な接点部と当該接点部を介して受信する他の電子装置の電源の状態を通知する通知信号を検出する検出部とを電気的に接続するように切り替え、電子装置の電源がオンである場合には、接点部と検出部とを電気的に接続しないように切り替える。電源ステップでは、検出部により通知信号が検出されると電子装置の電源を制御する。
【発明の効果】
【００１３】
上記電子装置、電源制御装置および電源制御方法によれば、一方の機器で他方の機器の電源を制御できる
【図面の簡単な説明】
【００１４】
【図１】第１の実施の形態の電子装置を示す図である。
【図２】第２の実施の形態の携帯端末装置の外観を示す図である。
【図３】第２の実施の形態の分離状態の携帯端末装置の外観を示す図である。
【図４】第２の実施の形態の入力操作部の外観を示す図である。
【図５】第２の実施の形態の情報表示部の外観を示す図である。
【図６】第２の実施の形態の延伸状態の入力操作部の外観を示す図である。
【図７】第２の実施の形態の延伸状態の携帯端末装置の外観を示す図である。
【図８】第２の実施の形態の携帯端末装置のハードウェアを示すブロック図である。
【図９】第２の実施の形態の携帯端末装置の機能を示すブロック図である。
【図１０】第２の実施の形態の電源オン処理を示すフローチャートである。
【図１１】第２の実施の形態の電源オフ処理を示すフローチャートである。
【図１２】第２の実施の形態の電源オン時の入力操作部および情報表示部の処理の流れを示すシーケンス図である。
【発明を実施するための形態】
【００１５】
以下、本実施の形態を図面を参照して詳細に説明する。
［第１の実施の形態］
図１は、第１の実施の形態の電子装置を示す図である。例えば、第１の実施の形態に係る電子装置１として、携帯端末装置、携帯電話機、携帯テレビ、携帯型ゲーム機、電子辞書装置等の電子機器が考えられる。また、ノート型コンピュータやＰＤＡ（Personal Digital Assistant）などの情報処理装置も考えられる。
【００１６】
電子装置１は、筐体１ａ（第１の筐体）、筐体１ｂ（第２の筐体）を有する。筐体１ａに対し、筐体１ｂは分離可能である。電子装置１は、筐体１ａ，１ｂが合体した状態、分離した状態のいずれの状態でも使用可能である。また、筐体１ａ，１ｂは、分離状態でも独立で動作できるように、それぞれがバッテリ、電源アダプタ等の電源を有している。
【００１７】
筐体１ａは、制御部１ａ１（第１の制御部）、経路切替部１ａ２（第１の経路切替部）、検出部１ａ３（第１の検出部）、電源部１ａ４（第１の電源部）、接点部１ａ５（第１の接点部）を有する。
【００１８】
制御部１ａ１は、筐体１ａの電源がオフである場合には、経路切替部１ａ２が接点部１ａ５と検出部１ａ３とを電気的に接続する第１の状態に切り替える。また、制御部１ａ１は、筐体１ａの電源がオンである場合には、筐体１ａの電源の状態を通知する通知信号を送信すると共に、経路切替部１ａ２が接点部１ａ５と検出部１ａ３とを電気的に接続せずに接点部１ａ５と制御部１ａ１とを電気的に接続する第２の状態に切り替える。
【００１９】
なお、ここで、電源がオフとは、自己の機器に対する電源操作および他方の機器の電源を監視する機能以外の機能を制限し、電力消費量を低減している待機状態を含むこととする。例えば、電源がオフの状態には、各機器の電源部（例えば、筐体１ａの場合には電源部１ａ４、検出部１ａ３）以外の各部に電源が供給されていない状態を含む。
【００２０】
経路切替部１ａ２は、接点部１ａ５と検出部１ａ３とを電気的に接続するか否かを切り替え可能である。これにより、制御部１ａ１と検出部１ａ３が接続されることを防止できる。また、経路切替部１ａ２は、接点部１ａ５と検出部１ａ３とを電気的に接続する第１の状態と、接点部１ａ５と制御部１ａ１とを電気的に接続する第２の状態とに切り替え可能である。これにより、筐体１ａの電源がオフの場合には、検出部１ａ３が筐体１ｂと接続され、筐体１ａの電源がオンの場合には、制御部１ａ１が筐体１ｂと接続される。
【００２１】
検出部１ａ３は、制御部１ｂ１から接点部１ｂ５と接点部１ａ５とを介して受信する筐体１ｂの電源の状態を通知する通知信号を検出する。
電源部１ａ４は、検出部１ａ３により通知信号が検出されると筐体１ａの電源を制御する。これにより、筐体１ｂの電源の状態に応じて筐体１ａの電源が制御される。
【００２２】
接点部１ｂ５は、接点部１ａ５と電気的に接続可能である。接点部１ａ５，１ｂ５は、それぞれ接続端子を有してもよい。この場合、接点部１ａ５，１ｂ５を、筐体１ａ，１ｂが合体状態の場合に互いの接続端子が接触するように配置する。これにより、筐体１ａ，１ｂ間で通信が可能になる。
【００２３】
筐体１ｂは、制御部１ｂ１（第２の制御部）、経路切替部１ｂ２（第２の経路切替部）、検出部１ｂ３（第２の検出部）、電源部１ｂ４（第２の電源部）、接点部１ｂ５（第２の接点部）を有し、接点部１ａ５と接点部１ｂ５とにより筐体１ａと電気的に接続している第１の形態と、筐体１ａと分離している第２の形態とを含む変形形態をとる。
【００２４】
制御部１ｂ１は、筐体１ｂの電源がオフである場合には、経路切替部１ｂ２を第１の状態に切り替え、筐体１ｂの電源がオンである場合には、筐体１ｂの電源の状態を通知する通知信号を送信すると共に、経路切替部１ｂ２を第２の状態に切り替える。
【００２５】
経路切替部１ｂ２は、接点部１ｂ５と検出部１ｂ３とを電気的に接続するか否かを切り替え可能である。これにより、検出部１ｂ３で通知信号の検出が不要な場合には検出部１ｂ３が接点部１ｂ５と切り離すことができ、制御部１ｂ１と検出部１ｂ３が接続されることを防止できる。また、経路切替部１ｂ２は、接点部１ｂ５と検出部１ｂ３とを電気的に接続する第１の状態と、接点部１ｂ５と制御部１ｂ１とを電気的に接続する第２の状態とに切り替え可能である。これにより、筐体１ｂの電源がオフの場合には、検出部１ｂ３が筐体１ａと接続され、筐体１ｂの電源がオンの場合には、制御部１ｂ１が筐体１ａと接続される。
【００２６】
検出部１ｂ３は、制御部１ａ１から接点部１ａ５と接点部１ｂ５とを介して受信する第１の通知信号を検出する。
電源部１ｂ４は、検出部１ｂ３により通知信号が検出されると筐体１ｂの電源を制御する。これにより、筐体１ａの電源の状態に応じて筐体１ｂの電源が制御される。
【００２７】
接点部１ｂ５は、接点部１ａ５と電気的に接続可能である。接点部１ｂ５は、上記のように接続端子を有してもよい。
このような電子装置１によれば、互いに、一方の筐体で他方の筐体の電源を制御することが可能になる。
【００２８】
また、通信機能を使用せずに、互いに、他方の筐体の電源の状態を監視し、電源制御の制御信号を送受信する。これにより、一方の筐体が待機状態を維持しながら他方の筐体の電源がオンになることを監視し続ける場合にも、通信機能で使用する量に相当する待機電力を削減することが可能になる。
【００２９】
以下の第２の実施の形態では、第１の実施の形態に係る電子装置１の応用例として、携帯端末装置を挙げる。ただし、前述の通り、電子装置１は、携帯端末装置以外の様々な電子機器に応用できる。
【００３０】
［第２の実施の形態］
図２は、第２の実施の形態の携帯端末装置の外観を示す図である。図２（Ａ）は、第２の実施の形態の携帯端末装置の上面図である。図２（Ｂ）は、第２の実施の形態の携帯端末装置の左側面図である。図２（Ｃ）は、第２の実施の形態の携帯端末装置の正面図である。図２（Ｄ）は、第２の実施の形態の携帯端末装置の右側面図である。図２（Ｅ）は、第２の実施の形態の携帯端末装置の底面図である。図２（Ｆ）は、第２の実施の形態の携帯端末装置の背面図である。
【００３１】
第２の実施の形態の携帯端末装置１００は、無線による通話機能を備えた携帯端末装置である。携帯端末装置１００は、入力操作部１１０および情報表示部１３０を有する。入力操作部１１０は第１の実施の形態の筐体１ａの一例であり、情報表示部１３０は第１の実施の形態の筐体１ｂの一例である。
【００３２】
図２に示す携帯端末装置１００は、入力操作部１１０および情報表示部１３０が重なった状態で合体している。入力操作部１１０は、図２においては後述するように延伸しておらず、収縮している収納状態である。入力操作部１１０の長手方向の長さ（高さ）および短手方向の長さ（幅）は、それぞれ情報表示部１３０の高さおよび幅とほぼ同じである。この収納状態では、合体時の入力操作部１１０の側面と情報表示部１３０の側面とがほぼ揃っている。情報表示部１３０は、図２（Ｃ）に示すように、正面にディスプレイ１３１ａを有する。
【００３３】
図３は、第２の実施の形態の分離状態の携帯端末装置の外観を示す図である。図３（Ａ）は、第２の実施の形態の入力操作部の外観図である。図３（Ｂ）は、第２の実施の形態の情報表示部の外観図である。
【００３４】
本実施の形態の携帯端末装置１００は、入力操作部１１０および情報表示部１３０が分離した状態でもそれぞれの機器について使用可能である。図３（Ａ），（Ｂ）は、分離状態にある入力操作部１１０および情報表示部１３０を示す。
【００３５】
入力操作部１１０は、図３（Ａ）に示すように、フルキー部１１０ａおよびテンキー部１１０ｂを有する。入力操作部１１０は、フルキー部１１０ａとテンキー部１１０ｂとをスライドさせることにより、テンキー部１１０ｂが収納されている収納状態と延伸している延伸状態とを相互に変換することができる。
【００３６】
フルキー部１１０ａは、情報表示部１３０のカメラ部１４１ａと嵌合する嵌合孔部１１０ａ１、主に文字情報の入力を受け付けるフルキー１１１ａ、情報表示部１３０が有する接続端子１３６ａ，１３６ｂのそれぞれと接触することにより電気的に接続可能な接続端子１１６ａ，１１６ｂを有する。テンキー部１１０ｂは、主に数字情報および電話機能の操作の入力を受け付けるテンキー１１１ｂを有する。
【００３７】
本実施の形態では、フルキー１１１ａは、携帯端末装置１００の入力操作部１１０および情報表示部１３０が合体状態では携帯端末装置１００の内側に収納されており、携帯端末装置１００を入力操作部１１０および情報表示部１３０に分離すると露出して使用可能になる。また、テンキー１１１ｂは、携帯端末装置１００を入力操作部１１０および情報表示部１３０に分離して、さらに入力操作部１１０をスライドして延伸状態にすると露出して使用可能になる。
【００３８】
情報表示部１３０は、図３（Ｂ）に示すように、静止画像または動画像を撮像するカメラ部１４１ａ、入力操作部１１０が有する接続端子１１６ａ，１１６ｂのそれぞれと接触することにより電気的に接続可能な接続端子１３６ａ，１３６ｂを有する。カメラ部１４１ａは、後述するように入力操作部１１０および情報表示部１３０が合体している場合には、入力操作部１１０が有する嵌合孔部１１０ａ１と嵌合する。
【００３９】
図４は、第２の実施の形態の入力操作部の外観を示す図である。図４（Ａ）は、第２の実施の形態の入力操作部の上面図である。図４（Ｂ）は、第２の実施の形態の入力操作部の左側面図である。図４（Ｃ）は、第２の実施の形態の入力操作部の正面図である。図４（Ｄ）は、第２の実施の形態の入力操作部の右側面図である。図４（Ｅ）は、第２の実施の形態の入力操作部の底面図である。図４（Ｆ）は、第２の実施の形態の入力操作部の背面図である。
【００４０】
図４に示す入力操作部１１０は、情報表示部１３０と分離してフルキー部１１０ａのフルキー１１１ａが露出していると共に、収縮してテンキー部１１０ｂのテンキー１１１ｂが収納された収納状態である。
【００４１】
携帯端末装置１００のユーザは、図４に示すように、入力操作部１１０が情報表示部１３０と分離しており、かつ、収納状態の場合には、フルキー１１１ａを使用して文字情報等を入力することができる。また、入力された情報は、後述する無線通信機能を用いて情報表示部１３０に送信される。
【００４２】
図５は、第２の実施の形態の情報表示部の外観を示す図である。図５（Ａ）は、第２の実施の形態の情報表示部の上面図である。図５（Ｂ）は、第２の実施の形態の情報表示部の左側面図である。図５（Ｃ）は、第２の実施の形態の情報表示部の正面図である。図５（Ｄ）は、第２の実施の形態の情報表示部の右側面図である。図５（Ｅ）は、第２の実施の形態の情報表示部の底面図である。図５（Ｆ）は、第２の実施の形態の情報表示部の背面図である。
【００４３】
図５に示す情報表示部１３０は、入力操作部１１０と分離した状態であり、正面にディスプレイ１３１ａが配置され、背面にカメラ部１４１ａが配置されている。
携帯端末装置１００のユーザは、図５に示すように、情報表示部１３０が入力操作部１１０と分離している場合には、携帯端末装置１００が通信機能で取得した情報、入力操作部１１０で入力された情報等、携帯端末装置１００が有する情報をディスプレイ１３１ａに表示させることができる。また、ユーザは、カメラ部１４１ａで静止画像または動画像を撮像することができる。
【００４４】
図６は、第２の実施の形態の延伸状態の入力操作部の外観を示す図である。図６（Ａ）は、第２の実施の形態の延伸状態の入力操作部の上面図である。図６（Ｂ）は、第２の実施の形態の延伸状態の入力操作部の左側面図である。図６（Ｃ）は、第２の実施の形態の延伸状態の入力操作部の正面図である。図６（Ｄ）は、第２の実施の形態の延伸状態の入力操作部の右側面図である。図６（Ｅ）は、第２の実施の形態の延伸状態の入力操作部の底面図である。図６（Ｆ）は、第２の実施の形態の延伸状態の入力操作部の背面図である。
【００４５】
図６に示す入力操作部１１０は、情報表示部１３０と分離してフルキー部１１０ａのフルキー１１１ａが露出していると共に、フルキー部１１０ａおよびテンキー部１１０ｂがスライドすることにより延伸して、テンキー部１１０ｂのテンキー１１１ｂも露出している延伸状態である。入力操作部１１０は、テンキー部１１０ｂがスライドして延伸状態と収納状態とに変換するために、例えば、図示しないレール部を設けてもよい。また、これに限らず、テンキー部１１０ｂのスライドによる状態の変換は、他の機構で実現してもよい。
【００４６】
携帯端末装置１００のユーザは、図６に示すように、入力操作部１１０が情報表示部１３０と分離しており、かつ、延伸状態の場合には、フルキー１１１ａを使用して文字情報等を入力することができると共に、テンキー１１１ｂを操作して携帯電話機能の操作や数字情報を入力することができる。また、入力された情報は、後述する無線通信機能を用いて情報表示部１３０に送信される。
【００４７】
図７は、第２の実施の形態の延伸状態の携帯端末装置の外観を示す図である。図７（Ａ）は、第２の実施の形態の延伸状態の携帯端末装置の上面図である。図７（Ｂ）は、第２の実施の形態の延伸状態の携帯端末装置の左側面図である。図７（Ｃ）は、第２の実施の形態の延伸状態の携帯端末装置の正面図である。図７（Ｄ）は、第２の実施の形態の延伸状態の携帯端末装置の右側面図である。図７（Ｅ）は、第２の実施の形態の延伸状態の携帯端末装置の底面図である。図７（Ｆ）は、第２の実施の形態の延伸状態の携帯端末装置の背面図である。
【００４８】
図７に示す携帯端末装置１００は、入力操作部１１０および情報表示部１３０が合体していると共に、入力操作部１１０のフルキー部１１０ａおよびテンキー部１１０ｂがスライドしてテンキー１１１ｂが露出している延伸状態である。
【００４９】
図７（Ｆ）に示すように、携帯端末装置１００が延伸状態である場合には、入力操作部１１０の嵌合孔部１１０ａ１にカメラ部１４１ａが嵌合することにより、入力操作部１１０および情報表示部１３０が合体しているにも関わらず、カメラ部１４１ａが嵌合孔部１１０ａ１を通して露出している。
【００５０】
携帯端末装置１００のユーザは、図７に示すように、携帯端末装置１００が合体しており、かつ、延伸状態の場合には、テンキー１１１ｂを操作して携帯電話機能の操作や数字情報を入力することができると共に、カメラ部１４１ａで静止画像または動画像を撮像することができる。また、入力操作部１１０により入力された情報は、接続端子１１６ａ，１１６ｂ，１３６ａ，１３６ｂを介して情報表示部１３０に送信される。
【００５１】
図８は、第２の実施の形態の携帯端末装置のハードウェアを示すブロック図である。第２の実施の形態に係る携帯端末装置１００は、前述の通り、入力操作部１１０および情報表示部１３０を有する。入力操作部１１０および情報表示部１３０は、各機器の電源の制御を含む各種制御のため、接触通信および無線通信を行うことができる。また、入力操作部１１０および情報表示部１３０は、それぞれ単独でも使用可能である。
【００５２】
入力操作部１１０は、キーボード部１１１、マイクロホン１１２、操作部１１３、制御部１１４、経路切替部１１５、接点部１１６、変換部１１７、電源部１１８、バッテリ部１１９、無線通信部１２０を有する。
【００５３】
キーボード部１１１は、前述したフルキー１１１ａ、テンキー１１１ｂを有し、これらのキー操作を検出して数字情報および文字情報ならびにその他の入力情報の入力を受け付ける。キーボード部１１１は、キー操作を検出すると、操作されたキーを示す入力信号を制御部１１４経由で制御部１３４に出力する。
【００５４】
マイクロホン１１２は、音の物理振動を電気信号に変換して音声入力を受け付け、制御部１１４を経由して制御部１３４に出力する。例えば、ユーザが通話を行っているとき、ユーザの声やユーザ側の背景雑音がマイクロホン１１２から入力される。
【００５５】
操作部１１３は、操作キー、操作ボタン、タッチパネル等の入力装置を有し、電源のオンおよびオフ、各種モードの切り替え等の操作を受け付ける。
制御部１１４は、携帯端末装置１００全体を制御する。制御部１１４は、例えば、ＣＰＵ（Central Processing Unit）、ＲＡＭ（Random Access Memory）、ＲＯＭ（Read Only Memory）で実現できる。また、制御部１１４は、例えば、Ｉ２Ｃ（Inter-Integrated Circuit）、ＳＰＩ（Serial Peripheral Interface）、ＵＡＲＴ（Universal Asynchronous Receiver Transmitter）、ＵＳＢ（Universal Serial Bus）等の、周辺デバイスと接続できるインタフェースを有する。ＣＰＵは、ＲＯＭからプログラムやデータを読み出し、ＲＡＭに展開してプログラムを実行する。ＲＡＭは、プログラムやデータの少なくとも一部を一時的に格納する揮発性メモリである。なお、ＲＡＭに代えて、他の種類のメモリを用いてもよい。ＲＯＭは、制御部１１４が使用するプログラムやデータを格納する不揮発性メモリである。なお、ＲＯＭに代えて、例えば、フラッシュメモリを用いてもよい。制御部１１４で行われる制御には、通信制御、音声入出力制御、キー操作制御などが含まれる。
【００５６】
経路切替部１１５は、接点部１１６の接続先を制御部１１４および電源部１１８の間で切り替える。これにより、入力操作部１１０および情報表示部１３０の間で通信される信号について、制御部１１４の周辺デバイスと接続できるインタフェースで送受信されるデータ信号と、電源部１１８で送受信される電源を制御する信号との間で切り替えることができる。経路切替部１１５は、制御部１１４の制御に基づき、入力操作部１１０の電源状態に応じてデータラインおよび電源オン信号のラインの切替を行う。
【００５７】
経路切替部１１５による経路の切替は、例えば、制御部１１４から送信される制御信号の有無で行うことができる。入力操作部１１０の電源がオフの場合に経路切替部１１５が電源オン信号のラインを有効にすることで、情報表示部１３０からの電源オン信号の検出が可能となる。
【００５８】
接点部１１６は、情報表示部１３０が有する接点部１３６と電気的に接続する。接点部１１６を介して、情報表示部１３０との間で通信されるデータおよび情報表示部１３０との間の電源を制御する信号は、接点部１１６を経由して情報表示部１３０との間で通信される。接点部１１６は、情報表示部１３０と接触通信を行うための接続端子１１６ａ，１１６ｂを有する。接続端子１１６ａ，１１６ｂは、情報表示部１３０が有する接点部１３６の接続端子１３６ａ，１３６ｂと容易に接触できるよう、入力操作部１１０の表面から少し突出させる。また、接点部１１６の接続端子１１６ａ，１１６ｂの周辺を窪ませると共に接点部１３６を突出させ、接点部１３６と嵌合してそれぞれの接続端子が接触するようにしてもよい。
【００５９】
変換部１１７は、制御部１３４から送信される電源オン信号を、電源部１１８が有する検出部が受信可能な信号形式に変換する論理回路である。
電源部１１８は、入力操作部１１０の電源がオンの場合には入力操作部１１０の各部に電源供給を行い、電源がオフの場合には電源供給を停止する。電源部１１８による電源の状態の制御は電源部１１８が有する検出部による電源オン信号の検出により行われる。
【００６０】
バッテリ部１１９は、商用電源等から充電を行うことにより電気を蓄えて電池として繰り返し使用可能な二次電池（蓄電池）を有しており、この二次電池により入力操作部１１０に電力を供給する。バッテリは、本実施の形態ではリチウムイオン電池を用いるが、これに限らずあらゆる二次電池を用いることができる。
【００６１】
無線通信部１２０は、制御部１１４の制御に従って、情報表示部１３０と無線通信を行う。無線通信部１２０は、例えば、Ｂｌｕｅｔｏｏｔｈ（登録商標）、Ｚｉｇｂｅｅ、ＷｉｒｅｌｅｓｓＵＳＢ、無線ＬＡＮ（Local Area Network）などの通信方式を用いることが考えられる。
【００６２】
情報表示部１３０は、表示部１３１、スピーカ１３２、操作部１３３、制御部１３４、経路切替部１３５、接点部１３６、変換部１３７、電源部１３８、バッテリ部１３９、無線通信部１４０、撮像部１４１を有する。
【００６３】
表示部１３１は、制御部１３４の制御に従って、各種ランプを点灯させたり、ディスプレイ１３１ａに各種画像を表示したりすることにより、ユーザに対して各種通知を行う。表示部１３１では、例えば、各種ランプとしてＬＥＤ（Light Emitting Diode）を用いることができる。また、表示部１３１では、ディスプレイ１３１ａとして液晶ディスプレイ（LCD：Liquid Crystal Display）や有機ＥＬ（Electro Luminescence）ディスプレイを用いることができる。ディスプレイ１３１ａで表示される画像には、例えば、待ち受け画面、操作画面、テキスト、コンテンツ画像などが含まれる。
【００６４】
スピーカ１３２は、制御部１３４の制御に従って、電気信号を物理振動に変換して音を再生する。例えば、ユーザが通話を行っているとき、通話相手の声や通話相手側の背景雑音がスピーカ１３２から出力される。
【００６５】
操作部１３３は、操作キー、操作ボタン、タッチパネル等の入力装置を有し、電源のオンおよびオフ、各種モードの切り替え等の操作を受け付ける。
制御部１３４は、携帯端末装置１００全体を制御する。制御部１３４は、制御部１１４と同様、例えば、ＣＰＵ、ＲＡＭ、ＲＯＭで実現できる。また、制御部１３４は、例えば、Ｉ２Ｃ、ＳＰＩ、ＵＡＲＴ、ＵＳＢ等の、周辺デバイスと接続できるインタフェースを有する。ＣＰＵは、ＲＯＭからプログラムやデータを読み出し、ＲＡＭに展開してプログラムを実行する。ＲＡＭは、プログラムやデータの少なくとも一部を一時的に格納する揮発性メモリである。なお、ＲＡＭに代えて、他の種類のメモリを用いてもよい。ＲＯＭは、制御部１３４が使用するプログラムやデータを格納する不揮発性メモリである。なお、ＲＯＭに代えて、例えば、フラッシュメモリを用いることができる。制御部１３４で行われる制御には、通信制御、音声入出力制御、キー操作制御などが含まれる。
【００６６】
経路切替部１３５は、接点部１３６の接続先を制御部１３４および電源部１３８の間で切り替える。これにより、入力操作部１１０および情報表示部１３０の間で通信される信号について、制御部１３４の周辺デバイスと接続できるインタフェースで送受信されるデータ信号と、電源部１３８で送受信される電源を制御する信号との間で切り替えることができる。経路切替部１３５は、制御部１３４の制御に基づき、情報表示部１３０の電源状態に応じてデータラインおよび電源オン信号のラインの切替を行う。経路切替部１３５による経路の切替は、例えば、制御部１３４から送信される制御信号の有無で行うことができる。情報表示部１３０の電源がオフの場合に経路切替部１３５が電源オン信号のラインを有効にすることで、情報表示部１３０からの電源オン信号の検出が可能となる。
【００６７】
接点部１３６は、入力操作部１１０が有する接点部１１６と電気的に接続する。情報表示部１３６と入力操作部１１０との間で通信されるデータおよび入力操作部１１０との間の電源を制御する信号は、接点部１３６を経由して通信される。接点部１３６は、入力操作部１１０と接触通信を行うための接続端子１３６ａ，１３６ｂを有する。接続端子１３６ａ，１３６ｂは、入力操作部１１０が有する接点部１１６の接続端子１１６ａ，１１６ｂと容易に接触できるよう、情報表示部１３０の表面から少し突出させる。また、接点部１３６の接続端子１３６ａ，１３６ｂの周辺を窪ませると共に接点部１１６を突出させ、接点部１１６と嵌合してそれぞれの接続端子が接触するようにしてもよい。
【００６８】
変換部１３７は、制御部１１４から送信される電源オン信号を、電源部１３８が有する検出部が受信可能な信号形式に変換する論理回路である。
電源部１３８は、情報表示部１３０の電源がオンの場合には情報表示部１３０の各部に電源供給を行い、電源がオフの場合には電源供給を停止する。電源部１３８による電源の状態の制御は、電源部１３８が有する検出部による電源オン信号の検出により行われる。
【００６９】
バッテリ部１３９は、商用電源等から充電を行うことにより電気を蓄えて電池として繰り返し使用可能な二次電池を有しており、この二次電池により情報表示部１３０に電力を供給する。バッテリは、本実施の形態ではリチウムイオン電池を用いるが、これに限らずあらゆる二次電池を用いることができる。
【００７０】
無線通信部１４０は、制御部１３４の制御に従って、入力操作部１１０と無線通信を行う。また、無線通信部１４０は、制御部１３４の制御に従って、公衆回線と無線通信を行う。無線通信部１４０は、入力操作部１１０との無線通信では、例えば、Ｂｌｕｅｔｏｏｔｈ、Ｚｉｇｂｅｅ、ＷｉｒｅｌｅｓｓＵＳＢ、無線ＬＡＮなどの通信方式を用いることが考えられる。また、無線通信部１４０は、公衆回線との無線通信では、例えば、Ｗ−ＣＤＭＡ通信等のモバイル通信で直接通信してもよく、ＩＥＥＥ８０２．１１ａ/ｂ/ｇ/ｎ等の無線ＬＡＮを介して通信してもよい。
【００７１】
撮像部１４１は、カメラ部１４１ａを有し、カメラ部１４１ａで撮像した静止画像または動画像を画像データに変換する。
また、入力操作部１１０、情報表示部１３０は、分離状態でも独立で動作できるように、それぞれが電源部１１８，１３８、バッテリ部１１９，１３９を有している。
【００７２】
なお、ここで、電源がオフとは、自己の機器に対する電源操作および他方の機器の電源を監視する機能以外の機能を制限し、電力消費量を低減している待機状態を含むこととする。例えば、電源がオフの状態には、各機器の電源部（例えば、入力操作部１１０の場合には電源部１１８）以外の各部に電源が供給されていない状態を含む。
【００７３】
図９は、第２の実施の形態の携帯端末装置の機能を示すブロック図である。なお、図９では、電源制御以外の機能については記載を省略している。
携帯端末装置１００は、入力操作部１１０（第１の筐体）、情報表示部１３０（第２の筐体）を有する。入力操作部１１０に対し、情報表示部１３０は分離可能である。携帯端末装置１００は、入力操作部１１０、情報表示部１３０が合体した状態、分離した状態のいずれの状態でも使用可能である。
【００７４】
制御部１１４は、入力操作部１１０の電源がオフである場合には、経路切替部１１５が接点部１１６と検出部１１８ａとを電気的に接続する状態に切り替える。また、制御部１１４は、入力操作部１１０の電源がオンである場合には、入力操作部１１０の電源がオンであることを通知する電源オン信号を送信すると共に、経路切替部１１５が接点部１１６と検出部１１８ａとを電気的に接続せずに接点部１１６と制御部１１４とを電気的に接続する状態に切り替える。電源オン信号は、通知信号として機能する。
【００７５】
また、制御部１１４は、制御部１３４から接点部１３６および接点部１１６を介して送信される情報表示部１３０の電源がオンであることを通知する電源オン信号を検出する。制御部１１４は、入力操作部１１０の電源がオンであって、通信が停止している場合には、通信線を介して入力操作部１１０の電源がオンであることを通知する電源オン信号を送信すると共に、情報表示部１３０の電源がオンであることを通知する電源オン信号を検出する。これにより、入力操作部１１０および情報表示部１３０の互いの電源の状態を通知すると共に互いの電源の状態を確認することができる。
【００７６】
経路切替部１１５は、接点部１１６と検出部１１８ａとを電気的に接続するか否かを切り替え可能である。これにより、検出部１１８ａで電源オン信号の検出が不要な場合には、検出部１１８ａが接点部１１６と切り離されるので、制御部１１４と検出部１１８ａが接続されることを防止できる。また、経路切替部１１５は、接点部１１６と検出部１１８ａとを電気的に接続する状態と、接点部１１６と制御部１１４とを電気的に接続する状態とに切り替え可能である。これにより、入力操作部１１０の電源がオフの場合には、検出部１１８ａが情報表示部１３０と接続され、入力操作部１１０の電源がオンの場合には、制御部１１４が情報表示部１３０と接続される。この経路切替部１１５の動作については、図１０および図１１において後述する。
【００７７】
接点部１１６は、接点部１３６と電気的に接続可能である。接点部１１６，１３６は、それぞれ接続端子を有する。接点部１１６，１３６は、入力操作部１１０、情報表示部１３０が合体状態の場合に互いの接続端子が接触するように配置する。これにより、入力操作部１１０、情報表示部１３０間で通信が可能になる。また、接点部１１６，１３６は、入力操作部１１０および情報表示部１３０の間の通信に使用される通信線と共用である。これにより、携帯端末装置１００の入力操作部１１０および情報表示部１３０の間の接点および接続線を簡略化できる。
【００７８】
変換部１１７は、上記のように制御部１３４から送信される電源オン信号を、検出部１１８ａが受信可能な信号形式に変換する。
電源部１１８は、検出部１１８ａにより情報表示部１３０の電源がオンであることを通知する電源オン信号が検出されると入力操作部１１０の電源をオンにする。これにより、情報表示部１３０の電源の状態に応じて入力操作部１１０の電源が制御される。また、電源部１１８は、検出部１１８ａを有する。なお、これに限らず、検出部１１８ａは、電源部１１８と独立して設けてもよい。
【００７９】
また、電源部１１８は、検出部１１８ａにより情報表示部１３０の電源がオンであることを通知する電源オン信号および電源操作信号のうちの少なくともいずれか一方が検出されるときには、入力操作部１１０の電源をオンにする。電源部１１８は、制御部１１４により情報表示部１３０の電源がオンであることを通知する電源オン信号が検出されないときには、入力操作部１１０の電源をオフにする。また、電源部１１８は、制御部１１４により情報表示部１３０の電源がオンであることを通知する電源オン信号が検出されるときには、入力操作部１１０の電源をオンに維持する。これにより、入力操作部１１０および情報表示部１３０は、互いの電源の状態を確認して、確認結果に応じて電源の状態を制御することができる。
【００８０】
検出部１１８ａは、入力操作部１１０の電源がオフであって、通信が停止している場合には、制御部１３４から接点部１３６と接点部１１６とを介して受信する情報表示部１３０の電源がオンであることを通知する電源オン信号を検出する。
【００８１】
また、検出部１１８ａは、情報表示部１３０の電源がオンであることを通知する電源オン信号を検出すると共に、電源操作信号を検出する。図８において前述した操作部１１３が入力操作部１１０の電源の状態を操作する電源操作を受け付けると、受け付けた電源操作に基づいて情報表示部１３０の電源がオンであることを通知する電源オン信号と同一の信号である電源操作信号を検出部１１８ａに出力する。この電源操作信号が検出部１１８ａにより検出されると、電源部１１８は、入力操作部１１０の電源をオンにする。これにより、電源オン信号にユーザにより操作部１１３による電源操作が行われた場合と同一の信号を用いるので、携帯端末装置１００の機能が簡略化できる。
【００８２】
制御部１３４は、情報表示部１３０の電源がオフである場合には、経路切替部１３５が接点部１３６と検出部１３８ａとを電気的に接続する状態に切り替える。また、制御部１３４は、情報表示部１３０の電源がオンである場合には、情報表示部１３０の電源がオンであることを通知する電源オン信号を送信すると共に、経路切替部１３５が接点部１３６と検出部１３８ａとを電気的に接続せずに接点部１３６と制御部１３４とを電気的に接続する状態に切り替える。
【００８３】
また、制御部１３４は、制御部１１４から接点部１１６および接点部１３６を介して送信される入力操作部１１０の電源がオンであることを通知する電源オン信号を検出する。制御部１３４は、情報表示部１３０の電源がオンであって、通信が停止している場合には、通信線を介して情報表示部１３０の電源がオンであることを通知する電源オン信号を送信すると共に、情報表示部１３０の電源がオンであることを通知する電源オン信号を検出する。これにより、入力操作部１１０および情報表示部１３０の互いの電源の状態を通知すると共に互いの電源の状態を確認することができる。
【００８４】
経路切替部１３５は、接点部１３６と検出部１３８ａとを電気的に接続するか否かを切り替え可能である。これにより、検出部１３８ａで電源オン信号の検出が不要な場合には、検出部１３８ａが接点部１３６と切り離されるので、制御部１３４と検出部１３８ａが接続されることを防止できる。また、経路切替部１３５は、接点部１３６と検出部１３８ａとを電気的に接続する状態と、接点部１３６と制御部１３４とを電気的に接続する状態とに切り替え可能である。これにより、情報表示部１３０の電源がオフの場合には、検出部１３８ａが入力操作部１１０と接続され、情報表示部１３０の電源がオンの場合には、制御部１３４が入力操作部１１０と接続される。
【００８５】
接点部１１６は、上記のように接点部１３６と電気的に接続可能である。変換部１３７は、上記のように制御部１１４から送信される電源オン信号を検出部１３８ａが受信可能な信号形式に変換する。
【００８６】
電源部１３８は、検出部１３８ａにより入力操作部１１０の電源がオンであることを通知する電源オン信号が検出されると情報表示部１３０の電源をオンにする。これにより、入力操作部１１０の電源の状態に応じて情報表示部１３０の電源が制御される。また、電源部１３８は、検出部１３８ａを有する。なお、これに限らず、検出部１３８ａは、電源部１３８と独立して設けてもよい。
【００８７】
また、電源部１３８は、検出部１３８ａにより入力操作部１１０の電源がオンであることを通知する電源オン信号および電源操作信号のうちの少なくともいずれか一方が検出されるときには、情報表示部１３０の電源をオンにする。電源部１３８は、制御部１３４により入力操作部１１０の電源がオンであることを通知する電源オン信号が検出されないときには、情報表示部１３０の電源をオフにする。また、電源部１３８は、制御部１３４により入力操作部１１０の電源がオンであることを通知する電源オン信号が検出されるときには、情報表示部１３０の電源をオンに維持する。これにより、入力操作部１１０および情報表示部１３０は、互いの電源の状態を確認して、確認結果に応じて電源の状態を制御することができる。
【００８８】
検出部１３８ａは、入力操作部１１０の電源がオフであって、通信が停止している場合には、制御部１１４から接点部１１６と接点部１３６とを介して受信する第１の電源オン信号を検出する。
【００８９】
また、検出部１３８ａは、入力操作部１１０の電源がオンであることを通知する電源オン信号を検出すると共に、電源操作信号を検出する。図８において前述した操作部１３３が情報表示部１３０の電源の状態を操作する電源操作を受け付けると、受け付けた電源操作に基づいて入力操作部１１０の電源がオンであることを通知する電源オン信号と同一の信号である電源操作信号を検出部１３８ａに出力する。この電源操作信号が検出部１３８ａにより検出されると、電源部１３８は、情報表示部１３０の電源をオンにする。これにより、電源オン信号にユーザにより操作部１３３による電源操作が行われた場合と同一の信号を用いるので、携帯端末装置１００の機能が簡略化できる。
【００９０】
本実施の形態では、制御部１１４，１３４が有するＣＰＵの端子にて、ＧＰＩＯを用いて、対向する機器の電源の状態を確認すると共に、自己の電源の状態を通知する。制御部１１４，１３４において、送信線ＴＸおよび受信線ＲＸとＧＰＩＯのうちの２本の線がそれぞれワイアードＯＲ結線されている。送信線ＴＸおよび受信線ＲＸが使用されていない場合には、ＧＰＩＯを有効にすることで、対向する機器の電源の状態の確認および自己の電源の状態の通知の機能が有効になる。
【００９１】
入力操作部１１０の電源がオンである場合、制御部１１４の制御により、経路切替部１１５における点線のライン（制御部１１４および接点部１１６を接続するライン）が有効になる。同様に、情報表示部１３０の電源がオンである場合、制御部１３４の制御により、経路切替部１３５における点線のライン（制御部１３４および接点部１３６を接続するライン）が有効になる。
【００９２】
入力操作部１１０の電源がオフである場合、制御部１１４の制御により、経路切替部１１５における実線のライン（接点部１１６および変換部１１７を接続するライン）が有効になる。同様に、情報表示部１３０の電源がオフである場合、制御部１３４の制御により、経路切替部１３５における実線のライン（接点部１３６および変換部１１７を接続するライン）が有効になる。
【００９３】
これにより、入力操作部１１０および情報表示部１３０の電源が共にオンであれば、それぞれの機器で電源の状態を監視し合うことになる。すなわち、一方（例えば、入力操作部１１０）の電源がオンで他方（例えば、情報表示部１３０）の電源がオフであれば、電源がオンである側の制御部（例えば、制御部１１４）および電源がオフである側の検出部（例えば、検出部１３８ａ）が接続される。従って、電源がオンである機器の制御部からの電源オン信号が電源がオフの機器の検出部で検出される。これに基づいて、電源がオフである機器の電源がオンに制御されることになる。
【００９４】
また、入力操作部１１０および情報表示部１３０の電源が共にオンであれば、一方の電源がオンに推移した後、同様にして他方の機器の電源がオンに制御されることになる。これに従い、ユーザは、一方の機器の電源操作を行うことで、合体状態の入力操作部１１０および情報表示部１３０の電源がオンに制御されることになる。
【００９５】
なお、本実施の形態では、入力操作部１１０および情報表示部１３０は、それぞれ経路切替部１１５，１３５を有するが、これに限らず、外付けの経路切替スイッチを設けて同様の機能を実現してもよい。
【００９６】
また、本実施の形態では、操作入力部１１０および情報表示部１３０のそれぞれが、制御部１１４，１３４、経路切替部１１５、検出部１１８ａを有する。しかし、これに限らず、操作入力部１１０および情報表示部１３０のそれぞれに、制御部１１４、経路切替部１１５、検出部１１８ａの機能を有する電源制御装置を設けて、同様の機能を実現してもよい。
【００９７】
図１０は、第２の実施の形態の電源オン処理を示すフローチャートである。電源オン処理は、入力操作部１１０または情報表示部１３０の電源がオフからオンになる際に経路切替部１１５または経路切替部１３５の経路を切り替える処理である。以下では、図１０に示す電源オン処理をフローチャートのステップ番号に沿って説明する。電源オン処理は、例えば、電源オフ時にユーザにより電源ボタンが操作された場合等、入力操作部１１０または情報表示部１３０の電源がオンに制御される際に実行が開始される。ここでは、電源オン処理が入力操作部１１０で実行される場合について説明するが、情報表示部１３０で実行される場合も同様であるため説明を省略する。
【００９８】
［ステップＳ１１］電源部１１８は、入力操作部１１０の電源をオンに制御する。
［ステップＳ１２］制御部１１４は、経路切替部１１５に、自己の電源がオンであることを通知することにより接続状態を電源オン時に切り替える制御を行う制御信号（ｋeep alive信号）を送信する。
【００９９】
［ステップＳ１３］経路切替部１１５は、制御信号の検出に基づいて、制御部１１４および接点部１１６を接続する状態に経路を切り替える。これにより、入力操作部１１０の電源オン時に制御部１１４から送信される電源オン信号が接点部１１６，１３６を介して情報表示部１３０まで伝達可能になるので、制御部１１４により、情報表示部１３０の電源をオンにする制御が可能になる。また、制御部１１４から送信される通信データが接点部１１６，１３６を介して情報表示部１３０まで伝達可能になることで、情報表示部１３０の電源がオンであれば、入力操作部１１０および情報表示部１３０の間のデータパスが有効になる。
【０１００】
このようにして、入力操作部１１０の電源オン時には、制御部１１４の制御に基づいて、経路切替部１１５が経路を切り替えて制御部１１４と接点部１１６とを接続する。なお、情報表示部１３０の電源オン時には、同様にして制御部１３４の制御に基づいて、経路切替部１３５が経路を切り替えて制御部１３４と接点部１３６とを接続する。これにより、対向する機器の電源オン操作が可能になる。
【０１０１】
図１１は、第２の実施の形態の電源オフ処理を示すフローチャートである。電源オフ処理は、入力操作部１１０または情報表示部１３０の電源がオンからオフになる際に経路切替部１１５または経路切替部１３５の経路を切り替える処理である。以下では、図１１に示す電源オフ処理をフローチャートのステップ番号に沿って説明する。電源オフ処理は、例えば、電源オン時にユーザにより電源ボタンが操作された場合等、入力操作部１１０または情報表示部１３０の電源がオフに制御される際に実行が開始される。ここでは、電源オフ処理が入力操作部１１０で実行される場合について説明するが、情報表示部１３０で実行される場合も同様であるため説明を省略する。
【０１０２】
［ステップＳ２１］制御部１１４は、経路切替部１１５に、制御信号の送信を停止する。
［ステップＳ２２］経路切替部１１５は、制御信号の停止の検出に基づいて、制御部１１４および接点部１１６を接続する状態から、変換部１１７および接点部１１６を接続する状態に経路を切り替える。これにより、情報表示部１３０の電源オン時に制御部１３４から送信される電源オン信号が、変換部１１７および接点部１１６，１３６を介して検出部１１８ａで検出可能になる。また、制御部１１４と接点部１１６との接続が切断されることで、入力操作部１１０および情報表示部１３０の間のデータパスが無効になる。
【０１０３】
［ステップＳ２３］電源部１１８は、入力操作部１１０の電源をオフに制御する。
このようにして、入力操作部１１０の電源オフ時には、制御部１１４の制御に基づいて、経路切替部１１５が経路を切り替えて検出部１１８ａと接点部１１６とを接続する。なお、情報表示部１３０の電源オン時には、同様にして制御部１３４の制御に基づいて、経路切替部１３５が経路を切り替えて検出部１３８ａと接点部１３６とを接続する。
【０１０４】
図１２は、第２の実施の形態の電源オン時の入力操作部および情報表示部の処理の流れを示すシーケンス図である。本実施の形態では、入力操作部１１０または情報表示部１３０のうちのいずれか一方の機器（例えば、入力操作部１１０）の電源がオンであり、他方の機器（例えば、情報表示部１３０）の電源がオフである場合、電源がオンである入力操作部１１０により、電源がオフである情報表示部１３０の電源がオンになる制御が行われる。以下では、図１２に示す処理をシーケンス図のステップ番号に沿って説明する。以下の処理は、電源がオンである一方の機器が他方の機器の電源がオフであることを検出し、他方の機器の電源をオンに制御する際に実行が開始される。ここでは、入力操作部１１０の電源がオンであり、情報表示部１３０の電源がオフである場合について説明するが、入力操作部１１０の電源がオフであり、情報表示部１３０の電源がオンである場合も同様であるため説明を省略する。
【０１０５】
［ステップＳ３１］入力操作部１１０が有する制御部１１４は、情報表示部１３０の電源の状態を確認する。このとき制御部１１４は、経路切替部１１５，１３５および接点部１１６，１３６を介して情報表示部１３０に、テストデータ等の、情報表示部１３０の電源の状態を確認する確認信号を送信する。情報表示部１３０は、この確認信号を受信した場合に電源がオンであれば、入力操作部１１０に対して応答信号を送信する。
【０１０６】
［ステップＳ３２］制御部１１４は、ステップＳ３１で送信した確認信号に対する応答信号の有無を確認するために所定時間（例えば、１秒間）待機する。制御部１１４によってこの所定時間内に情報表示部１３０からの応答信号が検出されれば、情報表示部１３０の電源はオンであるので以降の処理は行われない。
【０１０７】
［ステップＳ３３］制御部１１４は、ステップＳ３２の所定時間内に情報表示部１３０からの応答信号が検出されなければ、情報表示部１３０に対して、情報表示部１３０の電源をオンに制御する電源オン信号を送信する。このとき、経路切替部１１５は、制御部１１４と接点部１１６とを接続しているので、制御部１１４は、情報表示部１３０に接続可能である。
【０１０８】
［ステップＳ３４］情報表示部１３０が有する検出部１３８ａは、ステップＳ３３で制御部１１４から送信された電源オン信号を検出する。このとき、制御部１１４から送信された電源オン信号は、変換部１３７により検出部１３８ａで検出可能な信号形式に変換される。検出部１３８ａは、この変換部１３７により変換された電源オン信号を検出することにより、入力操作部１１０の電源がオンであることを検出する。
【０１０９】
［ステップＳ３５］情報表示部１３０が有する電源部１３８は、情報表示部１３０の電源をオンに制御する。
上記説明では、制御部１１４は情報表示部１３０の電源の状態を確認するために、確認信号を送信する。しかし、これに限らず、制御部１１４は、情報表示部１３０の接点部１３６の端子状態を監視することにより、情報表示部１３０の電源の状態を確認してもよい。
【０１１０】
具体的には、制御部１１４，１３４が有するＣＰＵの端子にて、ＧＰＩＯを用いて、対向する機器の電源の状態を確認すると共に、自己の電源の状態を通知することができる。電源の状態については、接点部１１６，１３６の接続端子間にロウレベル電圧が出力されている場合には、電源オンと規定しておく。このように規定しておくことで、接点部１１６，１３６の接続端子でロウレベル電圧が検出されるときは電源オン、ハイレベル電圧が検出されるときは電源オフと判断することができる。
【０１１１】
例えば、接点部１１６の接続端子１１６ａ，１１６ｂからロウレベル電圧が検出されれば、入力操作部１１０の電源はオンである。また、接点部１１６の接続端子１１６ａ，１１６ｂからハイレベル電圧が検出されれば、入力操作部１１０の電源はオフである。同様に、接点部１３６の接続端子１３６ａ，１３６ｂからロウレベル電圧が検出されれば、情報表示部１３０の電源はオンである。また、接点部１３６の接続端子１３６ａ，１３６ｂからハイレベル電圧が検出されれば、情報表示部１３０の電源はオフである。
【０１１２】
このようにして、入力操作部１１０の電源オン時には、制御部１１４により情報表示部１３０の電源の状態が確認される。また、確認の結果、情報表示部１３０の電源がオフであった場合、制御部１１４からの電源オン信号が検出部１３８ａによって検出され、さらにこれに基づいて電源部１３８により情報表示部１３０の電源がオンに制御される。なお、情報表示部１３０の電源オン時には、同様にして制御部１３４により入力操作部１１０の電源の状態が確認される。また、確認の結果、入力操作部１１０の電源がオフであった場合、制御部１３４からの電源オン信号が検出部１１８ａによって検出され、さらにこれに基づいて電源部１１８により入力操作部１１０の電源がオンに制御される。
【０１１３】
なお、本実施の形態では電源オンの場合を例示して説明したが、本実施の形態の携帯端末装置１００は、電源オンの制御と同様にして電源オフの制御を行うことも可能である。
以上、第２の実施の形態に係る携帯端末装置１００によれば、互いに、一方の機器で他方の機器の電源を制御することが可能になる。
【０１１４】
また、通信機能を使用せずに、互いに、他方の電源の状態を監視し、電源制御の制御信号を送受信する。これにより、一方が待機状態を維持しながら他方の電源がオンになることを監視し続ける場合にも、通信機能で使用する量に相当する待機電力を削減することが可能になる。
【０１１５】
また、電源の状態の確認に通信線を用いるので、双方の有線接続を増やすことなく、一方が他方の電源の状態を確認することができる。これにより、入力操作部１１０および情報表示部１３０の間の接点の増加を抑制でき、携帯端末装置１００の外観のデザインの自由度が損なわれることを低減できる。
【０１１６】
ここで、本実施の形態では、携帯端末装置を挙げて説明したが、これは例示であり、分離可能なあらゆる電子装置に適用可能である。適用可能な電子装置として、例えば、本体とクレードル（cradle）とに分離可能な携帯電話機、携帯型テレビ、携帯型ゲーム機、電子辞書装置、ノート型コンピュータ、ＰＤＡ等を挙げるが、必ずしもこれらに限らない。
【０１１７】
また、上記クレードルは、例えば、本体に対する充電機能、本体との通信により本体との間で情報を読み書きする機能、読み出した情報を表示する機能を有してもよい。
以上、開示の電子装置、電源制御装置および電源制御方法を、図示の実施の形態に基づいて説明したが、上記については単に本発明の原理を示すものである。開示の技術は、多数の変形、変更が当業者にとって可能であり、上記に示し、説明した正確な構成および応用例に限定されるものではなく、各部の構成は同様の機能を有する任意の構成のものに置換することができる。また、開示の技術に他の任意の構成物や工程が付加されてもよい。また、開示の技術は前述した実施の形態のうちの任意の２以上の構成を組み合わせたものであってもよい。また、開示の技術に対応するすべての変形例および均等物は、添付の請求項およびその均等物による本発明の範囲とみなされる。
【０１１８】
以上の第１から第２の実施の形態を含む実施の形態に関し、更に以下の付記を開示する。
（付記１）  第１の筐体と、第２の筐体とを有する電子装置であって、
前記第１の筐体は、第１の接点部と、第１の電源部と、第１の検出部と、前記第１の接点部と前記第１の検出部とを電気的に接続するか否かを切り替え可能な第１の経路切替部と、第１の制御部と、を有し、
前記第２の筐体は、前記第１の接点部と電気的に接続可能な第２の接点部と、第２の制御部とを有し、前記第１の接点部と前記第２の接点部とにより前記第１の筐体と電気的に接続している第１の形態と、前記第１の筐体と分離している第２の形態とを含む変形形態をとり、
前記第１の制御部は、前記第１の筐体の電源がオフである場合には、前記第１の経路切替部が前記第１の接点部と前記第１の検出部とを電気的に接続するように切り替え、前記第１の筐体の電源がオンである場合には、前記第１の経路切替部が前記第１の接点部と前記第１の検出部とを電気的に接続しないように切り替え、
前記第２の制御部は、前記第２の筐体の電源の状態を通知する第２の通知信号を送信し、
前記第１の検出部は、前記第２の制御部から前記第２の接点部と前記第１の接点部とを介して受信する前記第２の通知信号を検出し、
前記第１の電源部は、前記第１の検出部により前記第２の通知信号が検出されると前記第１の筐体の電源を制御することを特徴とする電子装置。
【０１１９】
（付記２）  前記第２の筐体は、第２の電源部と、第２の検出部と、前記第２の接点部と前記第２の検出部とを電気的に接続する第１の状態と、前記第２の接点部と前記第２の制御部とを電気的に接続する第２の状態とに切り替え可能な第２の経路切替部と、を有し、
前記第１の経路切替部は、前記第１の接点部と前記第１の検出部とを電気的に接続する前記第１の状態と、前記第１の接点部と前記第１の制御部とを電気的に接続する前記第２の状態とに切り替え可能であり、
前記第１の制御部は、前記第１の筐体の電源がオフである場合には、前記第１の経路切替部を前記第１の状態に切り替え、前記第１の筐体の電源がオンである場合には、前記第１の筐体の電源の状態を通知する第１の通知信号を送信すると共に前記第１の経路切替部を前記第２の状態に切り替え、
前記第２の制御部は、前記第２の筐体の電源がオフである場合には、前記第２の経路切替部を前記第１の状態に切り替え、前記第２の筐体の電源がオンである場合には、前記第２の経路切替部を前記第２の状態に切り替え、
前記第２の検出部は、前記第１の制御部から前記第１の接点部と前記第２の接点部とを介して受信する前記第１の通知信号を検出し、
前記第２の電源部は、前記第２の検出部により前記第１の通知信号が検出されると前記第２の筐体の電源を制御することを特徴とする付記１記載の電子装置。
【０１２０】
（付記３）  前記第２の通知信号は、前記第２の筐体の電源がオンであることを通知し、
前記第１の電源部は、前記第１の検出部により前記第２の通知信号が検出されると前記第１の筐体の電源をオンにすることを特徴とする付記１記載の電子装置。
【０１２１】
（付記４）  前記第１の筐体は、前記第１の筐体の電源の状態を操作する電源操作を受け付け、受け付けた前記電源操作に基づいて前記第２の通知信号と同一の信号である電源操作信号を前記第１の検出部に出力する操作部を有し、
前記第１の検出部は、前記第２の通知信号を検出すると共に、前記電源操作信号を検出し、
前記第１の電源部は、前記第１の検出部により前記第２の通知信号または前記電源操作信号のうちの少なくともいずれか一方が検出されると前記第１の筐体の電源の状態を制御することを特徴とする付記１記載の電子装置。
【０１２２】
（付記５）  前記第１の接点部と前記第２の接点部とは、前記第１の筐体と前記第２の筐体との間の通信に使用される通信線と共用であり、
前記第１の検出部は、前記通信が停止している場合には、前記通信線を介して前記第２の通知信号を検出することを特徴とする付記１記載の電子装置。
【０１２３】
（付記６）  前記第１の接点部と前記第２の接点部とは、前記第１の筐体と前記第２の筐体との間の通信に使用される通信線と共用であり、
前記第１の制御部は、前記通信が停止している場合には、前記通信線を介して前記第１の通知信号を送信すると共に、前記第２の通知信号を検出し、
前記第２の制御部は、前記通信が停止している場合には、前記通信線を介して前記第２の通知信号を送信すると共に、前記第１の通知信号を検出し、
前記第１の電源部は、前記第１の制御部により前記第２の通知信号が検出されるときには、前記第１の筐体の電源をオンに維持し、
前記第２の電源部は、前記第２の制御部により前記第１の通知信号が検出されるときには、前記第２の筐体の電源をオンに維持することを特徴とする付記２記載の電子装置。
【０１２４】
（付記７）  前記第２の通知信号は、前記第２の筐体の電源がオンであることを通知し、
前記第１の制御部は、前記第２の制御部から前記第２の接点部と前記第１の接点部とを介して送信される前記第２の通知信号を検出し、
前記第１の電源部は、前記第１の制御部により前記第２の通知信号が検出されないときには、前記第１の筐体の電源をオフにすることを特徴とする付記１記載の電子装置。
【０１２５】
（付記８）  他の電子装置と接続可能な電子装置であって、
前記他の電子装置の接点部と電気的に接続可能な接点部と、電源部と、検出部と、前記接点部と前記検出部とを電気的に接続するか否かを切り替え可能な経路切替部と、制御部と、を有し、
前記接点部と前記他の電子装置の接点部とにより前記他の電子装置と電気的に接続している第１の形態と、前記他の電子装置と分離している第２の形態とを含む変形形態をとり、
前記制御部は、電源がオフである場合には、前記経路切替部が前記接点部と前記検出部とを電気的に接続するように切り替え、前記電源がオンである場合には、前記経路切替部が前記接点部と前記検出部とを電気的に接続しないように切り替え、
前記検出部は、前記他の電子装置から前記接点部を介して受信する前記他の電子装置の電源の状態を通知する通知信号を検出し、
前記電源部は、前記検出部により前記通知信号が検出されると前記電源を制御することを特徴とする電子装置。
【０１２６】
（付記９）  前記経路切替部は、前記接点部と前記検出部とを電気的に接続する第１の状態と、前記接点部と前記制御部とを電気的に接続する第２の状態とに切り替え可能であり、
前記制御部は、前記電源がオフである場合には、前記経路切替部を前記第１の状態に切り替え、前記電源がオンである場合には、前記第１の筐体の電源の状態を通知する通知信号を送信すると共に前記経路切替部を前記第２の状態に切り替えることを特徴とする付記８記載の電子装置。
【０１２７】
（付記１０）  他の電子装置と接続可能な電子装置の電源を制御する電源制御装置であって、
前記他の電子装置と電気的に接続可能な接点部を介して受信する前記他の電子装置の電源の状態を通知する通知信号を検出する検出部と、
前記接点部と前記検出部とを電気的に接続するか否かを切り替え可能な経路切替部と、
前記電子装置の電源がオフである場合には、前記経路切替部が前記接点部と前記検出部とを電気的に接続するように切り替え、前記電子装置の電源がオンである場合には、前記経路切替部が前記接点部と前記検出部とを電気的に接続しないように切り替える制御部と、
前記検出部により前記通知信号が検出されると前記電子装置の電源を制御する電源部を有することを特徴とする電源制御装置。
【０１２８】
（付記１１）  他の電子装置と接続可能な電子装置の電源を制御する電源制御方法であって、
前記電子装置の電源がオフである場合には、前記他の電子装置と電気的に接続可能な接点部と当該接点部を介して受信する前記他の電子装置の電源の状態を通知する通知信号を検出する検出部とを電気的に接続するように切り替え、前記電子装置の電源がオンである場合には、前記接点部と前記検出部とを電気的に接続しないように切り替える切替制御ステップと、
前記検出部により前記通知信号が検出されると前記電子装置の電源を制御する電源ステップとを有することを特徴とする電源制御方法。
【符号の説明】
【０１２９】
１  電子装置
１ａ，１ｂ  筐体
１ａ１，１ｂ１  制御部
１ａ２，１ｂ２  経路切替部
１ａ３，１ｂ３  検出部
１ａ４，１ｂ４  電源部
１ａ５，１ｂ５  接点部
【図１】
2011101107.tif 000003
【図２】
2011101107.tif 000004
【図３】
2011101107.tif 000005
【図４】
2011101107.tif 000006
【図５】
2011101107.tif 000007
【図６】
2011101107.tif 000008
【図７】
2011101107.tif 000009
【図８】
2011101107.tif 000010
【図９】
2011101107.tif 000011
【図１０】
2011101107.tif 000012
【図１１】
2011101107.tif 000013
【図１２】
2011101107.tif 000014